(57)【要約】【課題】リチウムイオン二次電池の電極面内の電気化学的性質をその場観察する方法やそれらの分布を測定する方法、および内部短絡を再現性良く試験する方法を提供する。【解決手段】二次電池の試験方法に用いられる二次電池検査フィルムは、フィルム表面および／またはフィルム内部に、外部の検査装置に接続する導電経路を備えた電極２、および／または外部の検査装置に接続する導電経路を備えた温度測定素子２、および／または外部の電源に接続する導電経路を備えた発熱素子４の少なくとも１以上を備えている。【選択図】図１
2016219172.tif 000002
【特許請求の範囲】
【請求項１】
フィルム表面および／またはフィルム内部に、外部の検査装置に接続する導電経路を備えた電極、および／または外部の検査装置に接続する導電経路を備えた温度測定素子、および／または外部の電源に接続する導電経路を備えた発熱素子の少なくとも１以上を備えた二次電池検査フィルム。
【請求項２】
前記フィルム表面および／またはフィルム内部に、前記発熱素子を備える場合において、該発熱素子の近傍に、前記フィルムの一方の表面から裏面に貫通する導体をさらに備えることを特徴とする請求項１に記載の二次電池検査フィルム。
【請求項３】
前記フィルムが、空孔率４０％以上の多孔質構造を有する高分子からなることを特徴とする請求項１または請求項２に記載の二次電池検査フィルム。
【請求項４】
前記電極が、リチウムイオンを吸蔵・放出しうるものであることを特徴とする請求項１乃至請求項３のいずれかに記載の二次電池検査フィルム。
【請求項５】
箔状の形状を有するかまたは集電箔上に塗布ないし貼付された正極および負極と、前記正極および負極の間に配置されるセパレータとを巻回または積層し、固形または液状の電解質を充填されて形成される二次電池において、
前記正極と前記セパレータの間、および／または前記負極と前記セパレータの間に、請求項１乃至請求項４のいずれかに記載された二次電池検査フィルムが挿入されたことを特徴とする二次電池。
【請求項６】
箔状の形状を有するかまたは集電箔上に塗布ないし貼付された正極および負極と、前記正極および負極の間に配置されるセパレータとを巻回または積層し、固形または液状の電解質を充填されて形成される二次電池において、
前記正極と前記セパレータの間、および／または前記負極と前記セパレータの間に、フィルム表面および／またはフィルム内部に、外部の検査装置に接続する導電経路を備えた電極、および／または外部の検査装置に接続する導電経路を備えた温度測定素子の少なくとも１以上を備えた、請求項１乃至請求項４のいずれかに記載された二次電池検査フィルムを挿入することにより、
前記電極と正極、および／または前記負極間の電圧、および／または前記温度測定素子近傍の温度を測定する二次電池の試験方法。
【請求項７】
箔状の形状を有するか、または集電箔上に塗布ないし貼付された正極および負極と、前記正極および負極の間に配置されるセパレータとを巻回または積層し、固形または液状の電解質を充填されて形成される二次電池において、
前記正極と前記セパレータの間、および／または前記負極と前記セパレータの間に、外部の電源に接続する導電経路を備えた発熱素子をフィルム表面および／またはフィルム内部に備えた、請求項１乃至請求項４のいずれかに記載された二次電池検査フィルムを挿入して加熱する工程を含む二次電池の試験方法。
【請求項８】
箔状の形状を有するかまたは集電箔上に塗布ないし貼付された正極および負極と、前記正極および負極の間に配置されるセパレータとを巻回または積層し、固形または液状の電解質を充填されて形成される二次電池において、
前記正極と前記セパレータの間および／または前記負極と前記セパレータの間に、
フィルム表面および／またはフィルム内部に、外部の検査装置に接続する導電経路を備えた電極、および／または外部の検査装置に接続する導電経路を備えた温度測定素子、および／または外部の電源に接続する導電経路を備えた発熱素子の少なくとも１以上を備えた、請求項１乃至請求項４のいずれかに記載された二次電池検査フィルムを挿入することにより、
前記セパレータの加熱に伴う、前記電極と正極および／または前記負極間の電圧、および／または前記温度測定素子近傍の温度を測定する二次電池の試験方法。
【請求項９】
箔状の形状を有するかまたは集電箔上に塗布ないし貼付された正極および負極と、前記正極および負極の間に配置されるセパレータとを巻回または積層し、固形または液状の電解質を充填されて形成される二次電池において、
前記正極と前記セパレータの間および／または前記負極と前記セパレータの間に、
フィルム表面および／またはフィルム内部に、外部の検査装置に接続する導電経路を備えた電極、および／または外部の検査装置に接続する導電経路を備えた温度測定素子、および／または外部の電源に接続する導電経路を備えた発熱素子の少なくとも１以上を備え、さらに該発熱素子の近傍に、前記フィルムの一方の表面から裏面に貫通する導体をさらに備えた、請求項１乃至請求項４のいずれかに記載された二次電池検査フィルムを挿入することにより、
前記セパレータの加熱による溶損に伴い、前記負極および前記正極が前記導体によって短絡される際に、前記電極と正極および／または前記負極間の電圧、および／または前記温度測定素子近傍の温度を測定する二次電池の試験方法。
【請求項１０】
前記フィルムが空孔率４０％％以上の多孔質構造を有する高分子からなることを特徴とする前記請求項９に記載の二次電池の試験方法。
【請求項１１】
前記電極が、リチウムイオンを吸蔵・放出しうるものであることを特徴とする請求項９または請求項１０に記載の二次電池の試験方法。
【発明の詳細な説明】
【技術分野】
【０００１】
本発明は、二次電池検査フィルム及び二次電池、並びに二次電池の試験方法に関するものであり、特に、フィルム表面および／またはフィルム内部に、外部の検査装置に接続する導電経路を備えた電極、および／または外部の検査装置に接続する導電経路を備えた温度測定素子、および／または外部の電源に接続する導電経路を備えた発熱素子の少なくとも１以上を備えた、二次電池内部の電圧や温度をその場観察することができ、さらに、内部短絡を起こすことのできる二次電池検査フィルム、及び前記二次電池検査フィルムを挿入した二次電池、並びにそれを用いた試験方法関するものである。
【背景技術】
【０００２】
携帯電話やポータブル電子機器の市場の拡大とともに、これらに用いられる電池に対して、エネルギー密度の向上や高出力化といった要求が高まっている。これらの要求に応えるため、リチウムイオン等のアルカリ金属イオンを荷電担体として、その電荷授受に伴う電気化学反応を利用した二次電池が開発されており、より安全で高容量、長寿命の電池の実現が求められている。
【０００３】
リチウムイオン二次電池は正極と負極との間に、それぞれの電極を電気的に絶縁し、電解液を保持する役割を有するセパレータを備えている。高容量化を実現するために、電極面積の増大やセパレータの薄膜化が進展している。その結果、反応の不均一化か生じやすくなる恐れがあり、それによる寿命の低下や内部短絡などの可能性も高くなると予想される。
しかしながら、リチウムイオン二次電池の電極面内の電気化学的性質の分布を測定する方法は開発されていなかった。
【０００４】
安全性の面では、内部短絡への対応が重要である。セパレータは一般に多孔質の熱可塑性高分子であるため収縮しやすく、融点以上の温度では溶融して正極と負極とが物理的に接触し、内部短絡が発生する。また、正極、負極、および、絶縁層の表面導体粉（異物）が接触すると該絶縁層が破れ、正極と負極とが電気的に導通し、内部短絡が発生することも起こりうる。内部短絡がいったん発生すると、短絡電流に伴うジュール熱によって短絡部はさらに拡大するとともに異常加熱を生じ、電池が破壊してしまう場合も起こり得る。
【０００５】
このため、内部短絡が生じた場合でも安全性を確保する方法が検討されている。たとえば特許文献１には電極上にイオン透過性のセラミック粒子とバインダーからなる絶縁層を印刷する方法が開示されている。
【０００６】
一方、電池で内部短絡が発生した際の電池の安全性を正しく評価することも非常に重要である。このような評価方法として、内部短絡時の発熱の挙動を評価する電池評価試験（リチウム二次電池などの電池の安全性評価の項目）が、リチウム電池のためのＵＬ規格（ＵＬ１６４２）、電池工業会からの指針（ＪＩＳ  Ｂ８７１４）などで制定されている。これらの評価試験には、例えば、釘刺し試験、圧壊試験などがある。
【０００７】
釘刺し試験は、外部より電池に釘を突き刺し、正極と負極とを釘によって短絡させ、発生するジュール熱によって生じる電池の温度や電圧などの変化を測定するものである。特許文献２には、釘で絶縁層を貫通させ、集電体に達するまでの絶縁抵抗を測定する方法が開示されている。また、電池の内部に短絡を生じる機構を設ける構造の電池も提案されている。特許文献３には、電池内部のハウジングの近傍にバリを設け、外部圧力が印加されると、セパレータ穴を開けるよう構成された電池が開示されている。特許文献４には、発熱体を電池内部に配置し、発熱体によって電極群の局所を、内部短絡が生じる温度に加熱する二次電池の試験方法が開示されている。
【先行技術文献】
【特許文献】
【０００８】
【特許文献１】特開平１０−１０６５３０号公報
【特許文献２】特開２００９−１５８２６６号公報
【特許文献３】特表２００２−５１５６３７号公報
【特許文献４】特表２０１２−１１７６６０号公報
【発明の概要】
【発明が解決しようとする課題】
【０００９】
上述したように、リチウムイオン二次電池の電極面内の電気化学的性質の分布を測定する方法は開発されていなかった。
また、内部短絡に関してはこれを防止する方法や再現性良く試験する方法が開発されていなかった。
【００１０】
上述した特許文献１では、電極表面上にイオン透過性のセラミック層を設けるため、工程が複雑になり、加えて十分な内部短絡防止機能を持つためには一定以上の厚さが必要になるため、電池の容量が小さくなってしまうという課題があった。
内部短絡の試験方法に関し、リチウム電池のためのUL規格や特許文献２のような電池の外側からの釘差し試験では放熱しやすい表面近くで内部短絡が発生するため、電池の中心で内部短絡した場合より発火や発煙が起こりにくく、安全性を実際より高く評価してしまう可能性があるという問題があった。
【００１１】
特許文献３には、電池内に異物を設ける方法が開示されているが、異物混入による内部短絡が電池内部のどの箇所で発生するかは特定できず、再現性の良い試験方法とは言えない。
【００１２】
一方、特許文献４では、発熱体によって電極群の局所を加熱する試験方法が開示されているが、加熱体と加熱体にエネルギーを供給する導体を電極間に挟み込むために正極と負極の間隔が変化し、正確に試験を行うことが難しいという問題があった。
【００１３】
本発明は、上記事情に鑑みてなされたものであって、リチウムイオン二次電池の電極面内の電気化学的性質をその場観察する方法やそれらの分布を測定する方法、および内部短絡を再現性良く試験する方法を提供することを課題とする。
【課題を解決するための手段】
【００１４】
本発明は、以下の構成を備える。
請求項１に係る発明は、フィルム表面および／またはフィルム内部に、外部の検査装置に接続する導電経路を備えた電極、および／または外部の検査装置に接続する導電経路を備えた温度測定素子、および／または外部の電源に接続する導電経路を備えた発熱素子の少なくとも１以上を備えた二次電池検査フィルムである。
【００１５】
請求項２に係る発明は、前記フィルム表面および／またはフィルム内部に、前記発熱素子を備える場合において、該発熱素子の近傍に、前記フィルムの一方の表面から裏面に貫通する導体をさらに備えることを特徴とする請求項１に記載の二次電池検査フィルムである。
【００１６】
請求項３に係る発明は、前記フィルムが、空孔率４０％以上の多孔質構造を有する高分子からなることを特徴とする請求項１〜２に記載の二次電池検査フィルムである。
【００１７】
請求項４に係る発明は、前記電極が、リチウムイオンを吸蔵・放出しうるものであることを特徴とする請求項１〜３のいずれかに記載の二次電池検査フィルムである。
【００１８】
請求項５に係る発明は、箔状の形状を有するかまたは集電箔上に塗布ないし貼付された正極および負極と、前記正極および負極の間に配置されるセパレータとを巻回または積層し、固形または液状の電解質を充填されて形成される二次電池において、前記正極と前記セパレータの間、および／または前記負極と前記セパレータの間に、請求項１〜４のいずれかの一項に記載の二次電池検査フィルムが挿入されたことを特徴とする二次電池である。
【００１９】
請求項６に係る発明は、箔状の形状を有するかまたは集電箔上に塗布ないし貼付された正極および負極と、前記正極および負極の間に配置されるセパレータとを巻回または積層し、固形または液状の電解質を充填されて形成される二次電池において、前記正極と前記セパレータの間、および／または前記負極と前記セパレータの間に、フィルム表面および／またはフィルム内部に、外部の検査装置に接続する導電経路を備えた電極、および／または外部の検査装置に接続する導電経路を備えた温度測定素子の少なくとも１以上を備えた二次電池検査フィルムを挿入することにより、前記電極と正極、および／または前記負極間の電圧、および／または前記温度測定素子近傍の温度を測定する二次電池の試験方法である。
【００２０】
請求項７に係る発明は、箔状の形状を有するか、または集電箔上に塗布ないし貼付された正極および負極と、前記正極および負極の間に配置されるセパレータとを巻回または積層し、固形または液状の電解質を充填されて形成される二次電池において、前記正極と前記セパレータの間、および／または前記負極と前記セパレータの間に、外部の電源に接続する導電経路を備えた発熱素子をフィルム表面および／またはフィルム内部に備えた二次電池検査フィルムを挿入して加熱する工程を含む二次電池の試験方法である。
【００２１】
請求項８に係る発明は、箔状の形状を有するかまたは集電箔上に塗布ないし貼付された正極および負極と、前記正極および負極の間に配置されるセパレータとを巻回または積層し、固形または液状の電解質を充填されて形成される二次電池において、前記正極と前記セパレータの間および／または前記負極と前記セパレータの間に、フィルム表面および／またはフィルム内部に、外部の検査装置に接続する導電経路を備えた電極、および／または外部の検査装置に接続する導電経路を備えた温度測定素子、および／または外部の電源に接続する導電経路を備えた発熱素子の少なくとも１以上を備えた二次電池検査フィルムを挿入することにより、前記セパレータの加熱に伴う、前記電極と正極および／または前記負極間の電圧、および／または前記温度測定素子近傍の温度を測定する二次電池の試験方法である。
【００２２】
請求項９に係る発明は、箔状の形状を有するかまたは集電箔上に塗布ないし貼付された正極および負極と、前記正極および負極の間に配置されるセパレータとを巻回または積層し、固形または液状の電解質を充填されて形成される二次電池において、前記正極と前記セパレータの間および／または前記負極と前記セパレータの間に、所フィルム表面および／またはフィルム内部に、外部の検査装置に接続する導電経路を備えた電極、および／または外部の検査装置に接続する導電経路を備えた温度測定素子、および／または外部の電源に接続する導電経路を備えた発熱素子の少なくとも１以上を備え、さらに該発熱素子の近傍に、前記フィルムの一方の表面から裏面に貫通する導体をさらに備えた該フィルムを挿入することにより、前記セパレータの加熱による溶損に伴い、前記負極および前記正極が前記導体によって短絡される際に、前記電極と正極および／または前記負極間の電圧、および／または前記温度測定素子近傍の温度を測定する二次電池の試験方法である。
【００２３】
請求項１０に係る発明は、前記フィルムが空孔率４０％％以上の多孔質構造を有する高分子からなることを特徴とする前記請求項６〜９の二次電池の試験方法である。
【００２４】
請求項１１に係る発明は、前記電極が、リチウムイオンを吸蔵・放出しうるものであることを特徴とする請求項６〜１０に記載の二次電池の試験方法である。
【発明の効果】
【００２５】
本発明の二次電池検査フィルムは、フィルム表面もしくはフィルム内部に電圧を測定する電極、もしくは温度を測定する素子、もしくは発熱素子を備えているため、電池内部の電圧や抵抗、インピーダンスなどの電気化学的性質、および温度をその場観察することができる。さらに、それらの電極や素子を複数配置すれば電極面内の分布やバラツキも測定することができる。加えて、発熱素子によってセパレータを溶解することができるので電池内部の任意の部分で再現性良く内部短絡を発生させることができる。
【図面の簡単な説明】
【００２６】
【図１】図１は、本発明を適用した一実施形態である二次電池検査フィルムの一例を示す図である。
【図２】図２は、本発明を適用した一実施形態である二次電池検査フィルムの一例を示す図である。
【図３】図３は、本発明を適用した一実施形態である二次電池検査フィルムの電圧を測定する電極の一例を示す図である。
【図４】図４は、本発明を適用した一実施形態である二次電池検査フィルムを電極難に挿入した構成の一例を示す図である。
【図５】図５は、本発明を適用した一実施形態である二次電池検査フィルムの電圧を測定する方法の一例を示す図である。
【図６】図６は本発明の実施の一形態である発熱素子を配置した二次電池検査フィルムの一例を示す正面図（A）、および断面図（B）である
【発明を実施するための形態】
【００２７】
［実施の形態１］
以下、本発明を適用した一実施形態である二次電池検査フィルムについて、それを用いた試験方法とあわせて、図面を用いて詳細に説明する。
なお、以下の説明で用いる図面は、特徴をわかりやすくするために、便宜上特徴となる部分を拡大して示している場合があり、各構成要素の寸法比率などが実際と同じであるとは限らない。
【００２８】
先ず、本発明の一実施形態である二次電池検査フィルムの構成について説明する。
図１は、本発明を適用した一実施形態である二次電池検査フィルムの一例を示す図である。図１に示すように、本実施形態の二次電池検査フィルムは、フィルム基板１上に電圧を測定する電極、２、もしくは温度を測定する素子２、もしくは発熱素子４を有している。この電圧を測定する電極、２、もしくは温度を測定する素子２は、いずれも任意の形状に形成されており、電池の外部に接続するための導線３が取り付けられている。
発熱素子４は、それ自体、もしくは隣接するフィルムの表面と裏面を電気的に接続する導電性の部材から構成されており、電池の外部に接続して発熱素子にエネルギーを供給するための導線５が取り付けられている。
【００２９】
本発明では電圧を測定する電極のみや、温度を測定する素子のみ、あるいは発熱素子のみを設けた検査フィルムや、それぞれを組み合わせた検査フィルムも使用することができる。さらに、それらの数や位置、についても特に制限がなく、必要に応じて任意の種類とパターンを選択することができる。
【００３０】
図２は、本発明を適用した一実施形態である二次電池検査フィルムの一例を示す図である。図２ではフィルム基板６上に、温度を測定する素子７を一定間隔に７８個配置した場合の例が示されている。温度を測定する素子には測定用の導線８、および９が接続されている。
本発明において、温度を測定する素子としては特に限定されず、アルメル‐クロメル熱電対や白金‐白金ロジウム合金熱電対、コンスタンタン‐銅熱電対などが利用できる。
【００３１】
本発明では、二次電池検査フィルムからリード端子を二次電池の外に引き出して使用する。外装がアルミラミネートフィルムの場合はその融着部から多孔質の検査フィルムをそのまま引き出すと気密性が失われ、水蒸気が侵入して電池としての機能が失われてしまう。そのため、例えばポリエチレン‐ポリプロピレン積層フィルムなどからなる熱融着フィルムを多孔質の検査フィルムに接続し、リードを延長して、熱融着フィルム部分を外装ラミネートフィルムに融着して使用する。外挿が円筒缶の場合は検査フィルムをそのままパッキンの間に挟んで機械的に圧着したり、角型セルの場合は専用の端子を設けたりすることができる。
【００３２】
本発明の二次電池は、このような二次電池検査フィルムを箔状の形状を有するかまたは集電箔上に塗布ないし貼付された正極および負極と、前記正極および負極の間に配置されるセパレータとを巻回または積層し、固形または液状の電解質を充填されて形成される二次電池の正極とセパレータの間、および／または負極とセパレータの間に挿入して二次電池を組み立てて行う。本発明では、二次電池自体は、前記検査フィルムを有する以外は、通常と同様に構成することができる。また、本発明の二次電池は、前記電極群および検査フィルムに加えて、二次電池の構成要素として通常使用される各種部材をさらに用いて構成することができる。
【００３３】
前記検査フィルムは、前記電極群の内部、外部を問わず、一方の面がセパレータに面しており、もう一方の面が電極に面していれば、いずれの位置にも挿入可能である。検査フィルムを挿入する枚数についても特に制限はないが、枚数が多くなると体積が大きくなり、二次電池が組み立てられなくなったり電池内部の圧力が大きくなるため正確な測定ができなくなる。
【００３４】
本発明では検査フィルムの基板は特に制限がないが、本来の電池動作に影響を与えないようにする観点から、空孔率４０％以上の多孔質フィルムであって、融点が２００℃以上の高分子からなるものが好ましい。二次電池に用いられるセパレータの空孔率は４０％〜５０％程度であるため、検査フィルムの空孔率が４０％以下では検査フィルムの抵抗が顕著になり、二次電池としての正確な評価ができなくなる。また、二次電池のセパレータに先立って熱収縮や変形を引き起こしても正確な評価かできなくなるため、通常使用されるセパレータの材料であるポリエチレン（融点１３４℃）やポリプロピレン（１６０℃〜１７０℃）を超える耐熱性が求められる。
このような材料としてはポリアミド樹脂、ポリイミドイミド樹脂などの多孔質フィルムがあげられる。フィルムの厚さは特に制限されないが一般のセパレータより薄い１５μｍ以下で使用される。
【００３５】
本発明において、電圧を測定する電極としては一定の電極電位を持つものであれば特に制限されないが、検査フィルムの製造のしやすさからリチウムを吸蔵、放出しうるものであることが好ましい。このような材料としては、Li4Ti5O、LiFePO4、LiCoO2、LiMn2O4、LiNiO2、Li2FePO4F、LiCo1/3Ni1/3Mn1/3O2、炭素、シリコンなどがそれぞれ単独で、あるいは複数組み合わせて使用される。
【００３６】
電極は図３に示すように、電圧を測定する電極１０とそれに接続する導体１１から構成される。電極１０の形成方法やその形状、大きさは特に制限されず、例えばLi4Ti5O、LiFePO4などにグラファイト、カーボンブラック、アセチレンブラック等の炭素質微粒子、気相成長炭素繊維などの導電材とポリフッ化ビニリデンやポリテトラフルオロエチレン、変性スチレンブタジエンゴム、カルボキシメチルセルロースなどのバインダーを加えて分散したスラリーをフィルム基板に直接塗布したり、いったん他のフィルムに塗工した後、転写して作製することができる。
【００３７】
図４は本発明を適用した一実施形態である二次電池検査フィルムを電極間に挿入した構成の一例を示す図である。電極群１２の正極１３と負極１４の間にセパレータ１５を介して電圧を測定する電極と導線１６、発熱体と発熱体にエネルギーを供給する導線１９、およびこれらの導線を引き出すための融着フィルム１７を備えた二次電池検査フィルム１８を挿入し（A）、全体を重ねた後、正極タブ１９、負極タブ２０をそれぞれ溶接する。この構成では検査フィルムのデータ測定用、および発熱用の導線は熱融着フィルムとともに横方向に出ており、アルミラミネートフィルムで外装することで、試験用の二次電池とすることができる。
【００３８】
図５は本発明を適用した一実施形態である二次電池検査フィルムを用いた積層型二次電池の電圧を測定する方法の一例を示す図である。アルミラミネートフィルムで外装された二次電池２１の電極２２に本発明の二次電池検査フィルム２３が積層されている。検査フィルムの表面に電圧を測定する電極２４が設けられており、コネクター２５を介して正極２６、および負極２７に接続されている。このように構成することにより、例えば通常の充放電回路２８を用いて充放電しながら、例えば測定回路２９と特定の測定電極との間を接続することで、正極２６に対する電位を測定することができる。負極２７に対する電位は測定回路３０と接続して測定することができる。また、電圧計ではなくインピーダンスメーターに接続すれば、インピーダンスの測定も可能となる。
【００３９】
本発明では、二次電池検査フィルムに設けた電極、および温度を測定する素子からデータを測定する方法は特に限定されず、通常のデータロガーなどで必要に応じてチャンネルを切り替えながら行うことができる。ただし、測定間隔が長すぎると内部短絡などのイベントを追跡することができず、十分な解析ができなくなる。反対に、寿命解析では電位や温度の場所による偏りを多数の測定点に対して長期間にわたって測定するため、測定間隔が短いとデータ数が多くなり、解析が難しくなる。
【００４０】
本発明において、発熱素子は隣接するセパレーターフィルムを融解する機能に加えて、セパレータ融解後に正負極を短絡する機能を有している。そのため、発熱素子の近傍に、前記フィルムの一方の表面から裏面に貫通する導体をさらに備えている。
【００４１】
図５は本発明の実施の一形態である発熱素子を配置した二次電池検査フィルムの一例を示す正面図（A）、および断面図（B）である。フィルム基板３１にヒーター３２が設けられ、ヒーターに接触してフィルムの表面から裏面に貫通する導体３３が設けられている。また、ヒーターには外部の電源に接続するための導電経路３４が設けられている。
【００４２】
本発明では、加熱素子や導電性チップの形状、サイズ、発熱素子の種類については、セパレータを１７０℃以上に加熱することができれば特に限定されず、ニクロム線や鉄クロム線、タングステン線などを利用することができる。また、加熱する速度や温度プロファイルについても特に限定されず、内部短絡試験の目的に応じて任意に選択することができる。
【００４３】
本発明の発熱素子を備えた二次電池検査フィルムを用いれば、二次電池単体の内部短絡試験だけでなく、二次電池を複数個接続した組電池に適用すれば熱連鎖試験、組電池の一部が内部探索した際の他の電池や組電池全体に及ぼす影響を明らかにすることもできる。また、電圧を測定する電極や温度を測定する素子を備えた検査フィルムを用いれば、内部短絡時や、熱連鎖時のそれぞれの電池内部の電位や温度の変化をその場観察することも可能である。
【００４４】
なお、本発明は上記実施の形態に限られたものではなく、趣旨を逸脱しない範囲で適宜変更することが可能である。例えば、本発明にかかる二次電池の検査方法の対象となる二次電池は、車載用二次電池をはじめ定置用二次電池、携帯電話などの情報関連機器用二次電池などであり、二次電池の種類も短絡が発生した場合に電流が発生するものであれば特に限定されない。
【符号の説明】
【００４５】
１  二次電池検査フィルム基板
２  電圧を測定する電極、もしくは温度を測定する素子
３  導線
４  発熱素子
５  発熱素子にエネルギーを供給する導線
６  二次電池検査フィルム基板
７  温度を測定する素子
８  温度測定用の導線
９  温度測定用の導線
１０  電圧を測定する電極
１１  導体
１２  電極群
１３  正極
１４  負極
１５  セパレータ
１６  電圧を測定する電極と導線
１７  導線を引き出すための融着フィルム
１８  二次電池検査フィルム
１９  正極タブ
２０  負極タブ
２１  二次電池
２２  二次電池の電極
２３  二次電池検査フィルム
２４  電圧を測定する電極
２５  コネクター
２６  二次電池の正極
２７  二次電池の負極
２８  二次電池の充放電回路
２９  正極に対する電位測定回路
３０  負極に対する電位測定回路
３１  フィルム基板
３２  ヒーター
３３  フィルム表面から裏面に貫通する導体
３４  外部の電源に接続するための導電経路
【図１】
2016219172.tif 000003
【図２】
2016219172.tif 000004
【図３】
2016219172.tif 000005
【図４】
2016219172.tif 000006
【図５】
2016219172.tif 000007
【図６】
2016219172.tif 000008